(57)【特許請求の範囲】
【請求項１】
チップカード組込式のバイオメトリックセンサ用チップカードモジュールであって、
センサとして１つのセンサチップ（１０）と、プレート状又はフォイル状の支持体（５）を有し、該支持体（５）にはセンサチップ（１０）が固定されており、さらに前記支持体は導電性領域（８）を有しており、該導電性領域（８）は一方の側ではセンサチップ（１０）に接続され、他方の側ではチップカード（１）の電気的端子（１４）に接続されている形式のものにおいて、
前記支持体（５）が、センサチップ（１０）の領域に少なくとも１つの貫通窓（９）を有しており、
前記センサチップ（１０）は、その活性面（１１）が支持体（５）方向に配向され、前記窓（９）の領域内に位置するように支持体（５）に固定されるように構成されていることを特徴とするチップカードモジュール。
【請求項２】
前記センサチップ（１０）は、複数の個別セグメント（１０ａ，１０ｂ，１０ｃ，１０ｄ）に細分化されており、これらの個別セグメントはそれぞれ、前記支持体（５）の固有の窓セグメント（９ａ，９ｂ，９ｃ，９ｄ）の領域に位置している、請求項１記載のチップカードモジュール。
【請求項３】
前記チップカードモジュールは、前記支持体（５）の縁部領域で、フレキシブルな接着剤（１６）によってチップカード材料に接着されている、請求項１または２記載のチップカードモジュール。
【請求項４】
前記チップカード（１）の電気的端子（１４）とセンサチップ（１０）の間におけるチップカードモジュールの導電性領域（８）は、少なくとも部分的に曲折状に案内された導体路からなっている、請求項１から３いずれか１項記載のチップカードモジュール。
【発明の詳細な説明】
【０００１】
本発明はチップカードに挿入される、バイオメトリックセンサ用のチップカードモジュールに関する。
【０００２】
人物の一義的な識別に関する領域では、バイオメトリック的手法で作動され人物の固有の生体的特徴、例えば指紋などを識別するセンサが益々多く用いられている。指紋センサは例えば銀行、研究所、軍事施設などのセキュリティ分野での人物のアクセス権認証検査のために用いられており、この場合は検査結果に依存して室内やコンピュータへのアクセスの可否がなされる。
【０００３】
指紋センサとしては、指が載置できるように機器や壁に埋め込まれたセンサチップが公知である。さらに入場カードのように入力される秘密ナンバとの結び付きでドアが開かれたり、銀行カードのようにＡＴＭのような読取り装置を介して銀行口座へのアクセスが許容される形態のチップカードも公知である。しかしながらこの種のチップカードは、バイオメトリックセンサと共に動作せず、不正利用に対する最大のセキュリティ要求は満たしていない。
指紋センサのカード本体への適用は、例えばヨーロッパ特許出願 EP-A-0 789 334 明細書に提案されている。
【０００４】
本発明の課題は、チップカードへの組込みに利用可能なバイオメトリックセンサ用のチップカードモジュールを提供することである。
【０００５】
前記課題は、請求項１の特徴部分に記載された本発明によって解決される。本発明の別の有利な実施例は従属請求項に記載されている。
【０００６】
本発明によるチップカードモジュールでは、センサチップがプレート状またはフォイル状の支持体に固定され、この支持体は導電領域を有しており、この導電性領域は、一方の側ではセンサチップに接続され他方の側ではチップカードの電気的端子に接続されている。前記支持体は、センサチップ領域において少なくとも１つの貫通窓を有している。さらにこのセンサチップは、その活性構造部が支持体方向に配向され、前記窓の領域に位置するように支持体に固定されており、それによって当該支持体の窓を通してアクセスが可能となっている。
【０００７】
本発明によるチップカードは、バイオメトリックセンサチップをチップカードに組込むことを可能にしている。これによって従来のチップカードのセキュリティ度さらに高められる。このチップカードは、通常は窓を通してセンサチップとの自由なアクセスができるように例えばＡＴＭなどの読取り装置、に差し込まれる。読取り装置からは、チップカードモジュールが指紋検出に必要なエネルギを受取る。この場合センサチップからデータが、場合によってはチップカードに同じように集積されている半導体チップに転送される。これは評価装置として用いられている。この種のチップカードは、無接触式あるいは接触式のチップカードとして構成されてもよい。無接触式のチップカードでは、エネルギとデータが誘導性結合/容量性結合を介して供給される。
【０００８】
特に有利には本発明によるチップカードモジュールがチップカード技法では慣例的な同じような方式で、オートメーション作業で完成され、検査が可能であり、最終的な作業工程の枠内で初めて準備されたチップカードに挿入され得る。チップカードへの挿入に対しては通常の組込み技術が利用できる。これはいわゆる混合チップモジュールであり、すなわち無接触式のチップモジュールとしても接触式のチップモジュールとしてもどちらでも同じように使用することができる。センサチップないしはチップモジュール全体の電気的な機能は、既にチップカードへの挿入前に検査可能である。これにより製造プロセスでの集積化が相応に容易にかつ低コストになる。
【０００９】
有利な実施形態によれば、センサチップが複数の個別セグメントに細分化され、これらのセグメントがそれぞれ支持体の固有の窓の領域に配置される。センサチップの複数の個別セグメントへの分割は、次のような利点につながる。すなわち特に指紋センサのケースに当てはまる比較的大きなために壊れやすいセンサチップの破損の危険性が著しく低減される。
【００１０】
有利には、チップカードモジュールは、前記支持体の縁部領域で、フレキシブルな接着剤によってチップカード材料に接着される。これによってチップカードモジュールに対するチップカードの破壊的折り曲げの影響が低減される。
【００１１】
本発明の別の有利な実施形態によれば、チップカードの電気的端子とセンサチップの間におけるチップカードモジュールの導電性領域は、少なくとも部分的に曲折状に案内された導体路からなる。この種の曲折形状に案内された導体路は、相応のフレキシビリティを提供しており、電気的な接続を損なうことなく曲げ剛性を高めている。
【００１２】
実施例
次に本発明を図面に基づき以下の明細書で詳細に説明する。この場合、
図１は、チップカード内に相応の凹部に挿入される、本発明によるチップカードモジュールの断面図であり、
図２は、本発明によるチップカードモジュールの概略的な斜視図であり、
図３は、チップカードモジュールの外部端子からセンサチップへ延在する、曲折状に案内された導体路の平面図であり、
図４は、４つの個別セグンメントに分割されたセンサチップと、相応の４つの窓を備えた支持体とを有するチップカードモジュールの概略的平面図である。
【００１３】
図１には、その表面２側から設けられた凹部３を備えたチップカード１の断面が示されており、この中にチップカードモジュール４が挿入されている。
【００１４】
このチップカードモジュール４は、プレート状又はフォイル状の支持体５を有しており、これはエポキシ層６と、上方の導電層７と、下方の導電領域８から成っている。支持体５の中央には、貫通孔部が設けられており、これは矩形状の窓９を形成している。
【００１５】
支持体５の下方側には、センサチップ１０が配設されており、このセンサチップは上方に活性面１１を有している。この活性面１１は、次のようなセンサ面として構成されている。すなわちこれに載置される指の指紋が識別でき、その指紋構造を電気的パルスの形態で、図には示されていない評価装置に転送できる状態のセンサ面として構成されている。センサチップ１０は、窓９よりもやや大きく、この窓９の直ぐ下に配置されている。そのため活性面１１は窓９の方向に配向され、センサチップ１０は支持体５の縁部領域に前記窓９に隣接するように固定される。センサチップ１０の電気的な端子は、チップ接触箇所１２を介して支持体５の対応する導電性領域８に接続されている。この場合このチップ接触箇所１２は窓９に隣接する縁部領域に存在する。チップカードモジュール４とチップカード１の導体路１３との間の電気的な接続は、外部端子１４を介して行われる。これは、チップカード１の導体路１３とチップカードモジュール４の導電性領域８との間に存在する。
【００１６】
外部端子１４とチップ接触箇所１２の間には、さらに剛性リングの形態の補強素子１５が設けられており、これは下方側から支持体５を支えている。
【００１７】
チップカードモジュール４全体は、フレキシブルな接着剤１６を用いて凹部３の高められた縁部領域に接着固定されている。このフレキシブルな接着剤１６は、十分なフレキシビリティと厚さを有しており、そのためチップカード１の曲げのもとでも相応にたわむことができる状態にある。これにより、比較的剛性の高いチップカードモジュールと特にセンサチップ１０の損傷が避けられる。
【００１８】
曲げによる相応の緊張が外部端子１４から導電性領域８を介してチップ接触箇所１２へ伝達されさらにそこからセンサチップ１０へ伝達されることを避けるために、前記導電性領域８を曲折状に延在する導体路で構成することも可能である。その例は図３の平面図に示されている。
【００１９】
図２には、図１によるチップカードモジュール４の概略的斜視図が示されている。上方の導電層７は、窓９を取り囲むように囲繞したアースフレームを形成している。この実施例では、支持体内に、指紋の識別に十分な大きさの唯一の窓９が設けられている。
【００２０】
図４には、本発明の代替的な実施形態が示されており、この実施例では、センサチップ１０が４つのセグメント１０ａ，１０ｂ，１０ｃ，１０ｄに細分化されている。これらのセグメント１０ａ，１０ｂ，１０ｃ，１０ｄは、図示の実施例では同じ大きさの矩形状に形成されており、この場合その外縁が破線で表わされている。
【００２１】
この種の４分割されたセンサチップ１０の適用下では、支持体５の窓９も４つに分割されており、すなわちこの窓９が４つの個別窓９ａ，９ｂ，９ｃ，９ｄを有している。これらの窓も矩形状をしており、それらが全体で大きな矩形をなすように配置されている。これらの個別窓９ａ，９ｂ，９ｃ，９ｄは、支持体５の中央で十字形になっているステー１７によって相互に分離されている。このステー１７は、センサチップ１０のセグメント１０ａ，１０ｂ，１０ｃ，１０ｄの固定のために設けられている。センサチップ１０のセグメント化によってセンサチップ１０の初期のフレキシビリティが保証され、そのためチップカード１の曲げのもとでの破損の危険性は低減される。
【００２２】
前記窓セグメント９ａ，９ｂ，９ｃ，９ｄに指が載置されたならば、指紋ラインはステー１７によって僅かだけ中断され得るが、これは電子的に補完される。そのため指紋は、ステー１７が存在しないのと同じように評価が可能である。
【図面の簡単な説明】
【図１】  チップカード内に相応の凹部に挿入される、本発明によるチップカードモジュールの断面図である。
【図２】  本発明によるチップカードモジュールの概略的な斜視図である。
【図３】  チップカードモジュールの外部端子からセンサチップへ延在する、曲折状に案内された導体路の平面図である。
【図４】  ４つの個別セグンメントに分割されたセンサチップと、相応の４つの窓を備えた支持体とを有するチップカードモジュールの概略的平面図である。
【図１】
0003824860.tif 000002
【図２】
0003824860.tif 000003
【図３】
0003824860.tif 000004
【図４】
0003824860.tif 000005